(57)【要約】【課題】  本考案の目的は、トラックライトの発光順番及び強さを制御することにより、灯光が表せる効果を強化できる、トラックライトユニット制御装置を提供する。【解決手段】  本考案は、トラックライトユニット制御装置であり、トラックライトの発光順番及び強さを制御し、主として、入力信号を分解して、入力された交流電源をパスする、ローパスフィルターと、当該入力信号を分解して、入力された高周波信号をパスする、ハイパスフィルターと、当該ハイパスフィルターに接続され、当該高周波信号を解読や処理する、マイクロプロセッサーと、当該マイクロプロセッサーに接続され、ユーザーが当該トラックライトの位置（ＩＰ）を設定するための回路である、位置設定回路と、当該マイクロプロセッサーからの当該高周波信号を受信して、当該高周波信号をパルス幅変調する、複数のパルス変調処理器と、を有し、これにより、当該トラックライトの閃光の順番や、強さ及び投射角度を制御して、灯光が表せる効果を強化できる。【選択図】図２
0003105762.tif 000002
【実用新案登録請求の範囲】
【請求項１】
トラックライトの発光順番及び強さを制御し、主として、
入力信号を分解して、入力された低周波信号をパスする、ローパスフィルターと、
当該入力信号を分解して、入力された高周波信号をパスする、ハイパスフィルターと、
当該ハイパスフィルターに接続され、当該高周波信号を解読や処理する、マイクロプロセッサーと、
当該マイクロプロセッサーに接続され、ユーザーが当該トラックライトの位置（ＩＰ）を設定するための回路である、位置設定回路と、
当該マイクロプロセッサーからの当該高周波信号を受信して、当該高周波信号をパルス幅変調する、複数のパルス変調処理器と、
を有し、
これにより、当該トラックライトの閃光の順番や、強さ及び投射角度を制御して、灯光が表せる効果を強化できる、ことを特徴とする、トラックライトユニット制御装置。
【請求項２】
当該入力信号は、低周波の電気信号と高周波の制御信号とが、含まれる、制御電気信号である、ことを特徴とする、請求項１記載のトラックライトユニット制御装置。
【請求項３】
当該ローパスフィルターの後ろには、当該低周波信号を整流する、整流器が接続されている、ことを特徴とする、請求項１記載のトラックライトユニット制御装置。
【請求項４】
当該整流器の後ろには、複数のトラックライトが接続され、当該低周波信号により、当該トラックライトが発光する時の必要な電源を供給する、ことを特徴とする、請求項３記載のトラックライトユニット制御装置。
【請求項５】
当該トラックライトは、発光ダイオード（ＬＥＤ）からなる、ことを特徴とする、請求項４記載のトラックライトユニット制御装置。
【請求項６】
当該高周波信号は、パケットモードの制御信号であり、当該制御信号の内容は、ユーザーの必要に応じて、調整される、ことを特徴とする、請求項１記載のトラックライトユニット制御装置。
【請求項７】
当該位置設定回路は、当該トラックライトの位置（ＩＰ）及び順番を設定する、ことを特徴とする、請求項１記載のトラックライトユニット制御装置。
【請求項８】
当該位置設定回路は、コンピュータや、携帯電話、パーソナルデジタルアシスタント（ＰＤＡ）或いはコントロールパネルを介して、当該トラックライトの位置（ＩＰ）及び順番を設定できる、ことを特徴とする、請求項７記載のトラックライトユニット制御装置。
【請求項９】
トラックライトの発光順番及び強さを制御し、
主として、
ユーザーが入力することに供するマン−マシンインターフェースを提供する、制御装置と
入力信号を分解して、入力された低周波信号をパスする、ローパスフィルターと、
当該入力信号を分解して、入力された高周波信号をパスする、ハイパスフィルターと、
当該ハイパスフィルターに接続され、当該高周波信号を解読や処理する、マイクロプロセッサーと、
当該マイクロプロセッサーに接続され、ユーザーが当該トラックライトの位置（ＩＰ）を設定する、位置設定回路と、
当該マイクロプロセッサーからの当該高周波信号を受信して、当該高周波信号をパルス幅変調する、複数のパルス変調処理器と、を有する、
ことを特徴とする、トラックライトユニット制御モジュール。
【請求項１０】
当該入力信号は、低周波の電気信号と高周波の制御信号とが、含まれる、制御電気信号である、ことを特徴とする、請求項９記載のトラックライトユニット制御モジュール。
【請求項１１】
当該ローパスフィルターの後ろには、当該低周波信号を整流する、整流器が接続されている、ことを特徴とする、請求項９記載のトラックライトユニット制御モジュール。
【請求項１２】
当該整流器の後ろには、複数のトラックライトが接続され、当該低周波信号により、当該トラックライトが発光する時の必要な電源を供給する、ことを特徴とする、請求項１１記載のトラックライトユニット制御モジュール。
【請求項１３】
当該トラックライトは、発光ダイオード（ＬＥＤ）からなる、ことを特徴とする、請求項９記載のトラックライトユニット制御モジュール。
【請求項１４】
当該高周波信号は、パケットモードの制御信号であり、当該制御信号の内容は、ユーザーの必要に応じて、調整される、ことを特徴とする、請求項９記載のトラックライトユニット制御モジュール。
【請求項１５】
当該位置設定回路は、当該トラックライトの位置（ＩＰ）及び順番を設定する、ことを特徴とする、請求項９記載のトラックライトユニット制御モジュール。
【請求項１６】
当該位置設定回路は、コンピュータや、携帯電話、パーソナルデジタルアシスタント（ＰＤＡ）或いはコントロールパネルを介して、当該トラックライトの位置（ＩＰ）及び順番を設定できる、ことを特徴とする、請求項１５記載のトラックライトユニット制御モジュール。
【請求項１７】
当該制御装置は、制御機能を有するコントロールパネルであり、例えば、コンピュータである、ことを特徴とする、請求項９記載のトラックライトユニット制御モジュール。
【考案の詳細な説明】
【技術分野】
【０００１】
本考案は、トラックライトユニット制御装置に関し、特に、トラックライトの発光
順番
及び強さを制御して、これにより、灯光が表せる効果を強化する、制御装置に関する。
【背景技術】
【０００２】
エジソンが、人類史上のはじめの電球を発明してから、この百年の間に、電球は、人類の日常生活において、不可欠な存在であり、電球は、便利性及び高輝度の特性から、さまざまな分野に、広く適用されている。
【０００３】
トラックライトは、電球から改良されてきた製品で、適用されるトラック分野が、単に照明ツールだけとしてではなく、更に、鑑賞できる工芸技術でもあり、この技術を室内設計に応用すると、部屋の雰囲気の創出ができ、部屋に美感を与えられ、また、トラックライトは、アウトドアに応用されるトラックと、舞台の灯光効果があり、これにより、演技がより生き生きし、鑑賞性もよくなる。
【０００４】
トラックライトユニットにおいて、基本な運用原理は、トラックとトラックライトからなり、図１は、従来のトラックライトユニット５０の基本構造概念図であり、各トラックライト２０は、トラック１０上に並列接続され、各トラックライト２０は、トラック１０に沿って移動可能で、投射角度を変更できる、局部の照明ライトユニットであり、また、電源装置１５から、低周波（６０ＨＺ）の電気信号が入力され、それをトラック１０を介して、各トラックライト２０上に伝送されることによって、各トラックライト２０を同時に発光させて、照明の効果を発揮する。
【０００５】
しかしながら、各トラックライト２０は、並列に接続され、そのため、トラック１０上にあるすべてのトラックライト２０は、同じ輝度及び同時発光という基本的なワーキング原則を守り、異なるトラックライト２０に、強度が異なる光を発光できず、また、各トラックライト２０の発光順番や時間差を制御できないから、既存の、使用されている技術は、灯光効果を強調する現在においては、不十分なものである。
【０００６】
本考案の発明者は、以上の従来の技術の説明から分かるように、トラックライトに使用されている技術が、トラックライト２０の発光順番や、時間差及び輝度を制御できず、灯光効果を強調する現在において不十分なところがあるので、上記の問題点が改善できると思い、有効に上記の欠陥を改善でき、トラックライトが適用できる分野を増大できる、簡単かつローコストの解決方法及び装置を提案する。
【考案の開示】
【考案が解決しようとする課題】
【０００７】
本考案の目的は、トラックライトの発光順番及び強さを制御することにより、灯光が表せる効果を強化できる、トラックライトユニット制御装置を提供する。
【課題を解決するための手段】
【０００８】
本考案は、トラックライトユニット制御装置であり、主な目的は、トラックライトの発光順番及び強さを制御し、主として、入力信号を分解して、入力された交流電源をパスする、ローパスフィルターと、当該入力信号を分解して、入力された高周波信号をパスする、ハイパスフィルターと、当該ハイパスフィルターに接続され、当該高周波信号を解読や処理する、マイクロプロセッサーと、当該マイクロプロセッサーに接続され、ユーザーが当該トラックライトの位置（ＩＰ）を設定するための回路である、位置設定回路と、当該マイクロプロセッサーからの当該高周波信号を受信して、当該高周波信号をパルス幅変調する、複数のパルス変調処理器と、を有し、これにより、当該トラックライトの閃光の順番や、強さ及び投射角度を制御して、灯光が表せる効果を強化できる。
【考案を実施するための最良の形態】
【０００９】
図２は、本考案に係わるトラックライトユニット制御装置１００の主な回路のブロック図であり、信号入力端１０５から、低周波の電気信号と高周波の制御信号を含有する、入力信号が入力され、この入力信号は、制御電気信号であり、入力される当該制御電気信号は、入力端１０５に接続されるローパスフィルター１１０及びハイパスフィルター１４０に転送されると、低周波の電気信号が、分解されてローパスフィルター１１０をパスし、同じように、高周波の制御信号が、分解されてハイパスフィルター１４０をパスする。
【００１０】
低周波の電気信号が、ローパスフィルター１１０をパスすると、当該電気信号は、ローパスフィルター１１０の後ろに接続される、当該電気信号を更に整流するための整流回路である、整流器１２０に転送され、その後、当該電気信号が、トラックライト１３０へ出力され、トラックライト１３０が発光する時の必要な電源とされるが、実際に適用する時、トラックライト１３０の替りに、発光ダイオードを使用でき、本実施例によって制限されるものではない。
【００１１】
高周波の制御信号が、ハイパスフィルター１４０をパスすると、まず、制御信号は、入力された直列式の制御信号を並列式の制御信号に変換する、ハイパスフィルター１４０の後ろに接続される直列／並列変換器１５０に転送され、その後、変換された当該制御信号は、更に、制御信号を解読や処理する、マイクロプロセッサー１６０に出力され、また、マイクロプロセッサー１６０には、ユーザーがトラックライト１３０の順番及び位置（ＩＰ）を設定するためのマン−マシンインターフェースである、位置（ＩＰ）設定回路１８０が接続され、実際使用において、位置設定回路１８０は、コンピュータや、携帯電話、パーソナルデジタルアシスタント（ＰＤＡ）或いはコントロールパネルを介して、トラックライト１３０の位置（ＩＰ）及び順番を設定できる。
【００１２】
マイクロプロセッサー１６０によってそれぞれに解読や処理された後の、直列／並列変換器１５０からの制御信号と、位置設定回路１８０から転送されたデータとは、制御信号をパルス幅変調するための複数のパルス変調処理器１７０に転送され、また、制御信号が、対応するトラックライト１３０に出力されることにより、各トラックライト１３０は、それぞれ、ユーザーが希望する、順番や、輝度及び投射角度で発光する。
【００１３】
図３Ａは、本考案に係わる制御電気信号の生成回路の概念図であり、１１０Ｖの電力が、変圧器２００へ転送されて、変圧器２００の一次側でコイル感応によって、二次側において、１２Ｖの電圧が得られ、これを、電源として、発光ダイオードからなるトラックライト１３０に供給し、また、二次側には、ユーザーが制御信号を入力するためのコントロールパネル２１０が接続され、また、出力端（Ｖｏｕｔ）には、出力波形が得られ、図３Ｂは、出力波形の概念図であり、当該出力波形に、低周波の電気信号２２０と高周波の制御信号２３０が含まれていることにより、上記の制御電気信号が構成され、これにより、当該信号の生成回路と、図２のブロック図と合わせると、トラックライトユニット制御モジュールになり、トラックライト１３０が必要する電源を供給するだけでなく、トラックライト１３０の発光のモードも制御できる。
【００１４】
図４は、制御信号の構成図であり、当該制御信号は、パケット（Ｐａｃｋｅｔ）モードで転送され、パケットの初期データ（Ａ）は、データの最初を示し、転送データ（Ｔ）は、データ転送の開始を示し、続いての位置データ（ＩＰ）は、当該パケットが、どれぐらいのトラックライト１３０の発光を制御するものを指示し、輝度データ（ＣＭＤ）は、更に、発光する各トラックライト１３０が、どのぐらいの輝度を発光することを制御し、最後に、チェックデータ（ＣＨＳ）は、パリティーチェックのステップを行うが、実際に適用する時、当該パケットには、更に、各トラックライト１３０が移動する距離や照明角度等の各データが含まれ、本考案は、本実施例によって制限されるものではない。
【００１５】
図５に合わせて、図３Ａ及び図３Ｂを参照するに、図５は、トラックライトユニット制御モジュールの回路ブロック図であり、１１０Ｖの電力は、電源装置２６０へ転送され、その変圧器２００により、１２Ｖの低周波の電気信号２２０に変圧され、また、トラック２８０を介して、其れに接続されている複数のトラックライトユニット制御装置１００に転送され、トラックライトユニット制御装置１００が必要とする電源として、供給し、また、制御装置２５０は、電源装置２６０に接続され、そして、ユーザーが制御装置２５０を介して制御信号２３０を入力するためのマン‐マシンインターフェースがあり、トラックライトユニット制御装置１００のうちのトラックライト１３０は、ユーザーの希望に応えるように、発光し、これにより、当該トラックライトの閃光の順番や、強さ及び投射角度を制御して、灯光が表せる効果を強化できる。
【００１６】
以上の説明は、ただ、本考案のよりよい具体実施例の詳細な説明と図式であり、本考案の実用新案請求の範囲の精神に従うものや其れに類似する変化の実施例は、本考案の範囲内に含まれて、考案の範囲内において、この技術を熟知するものであれば、本考案の領域内での、簡単に想起できる変形や修正であるものは、本考案に係わる実用新案請求の範囲に含まれている。
【図面の簡単な説明】
【００１７】
【図１】従来のトラックライトの基本構造の概念図である。
【図２】本考案に係わるトラックライトユニット制御装置の主な回路のブロック図である。
【図３Ａ】本考案に係わる制御電気信号の生成回路の概念図である。
【図３Ｂ】本考案の制御電気信号波形の概念図である。
【図４】本考案の制御信号の構成図である。
【図５】トラックライトユニット制御モジュールの回路のブロック図である。
【符号の説明】
【００１８】
１００    トラックライトユニット制御装置
１０５    信号入力端
１１０    ローパスフィルター
１２０    整流器
１３０    トラックライト
１４０    ハイパスフィルター
１５０    直列／並列変換器
１６０    マイクロプロセッサー
１７０    パルス変調処理器
１８０    位置設定回路
２００    変圧器
２１０    コントロールパネル
２２０    電気信号
２３０    制御信号
２５０    制御装置
２６０    電源装置
２８０    トラック
【図１】
0003105762.tif 000003
【図２】
0003105762.tif 000004
【図３Ａ】
0003105762.tif 000005
【図３Ｂ】
0003105762.tif 000006
【図４】
0003105762.tif 000007
【図５】
0003105762.tif 000008